(57)【要約】【課題】  複数の独立した入賞装置を上下に並べて配置される弾球遊技機において、上側入賞装置の小型化を可能にすると共に、上側入賞装置と下側入賞装置の配置間隔を小さくし、センター役物や遊技釘の配置スペースを拡張できるようにする。【解決手段】  パチンコ遊技機１は、遊技盤４に、始動口装置１４（上側入賞装置）及び大入賞口装置１５（下側入賞装置）を上下に並べて配置するにあたり、大入賞口装置１５に、始動口用の入賞検出センサＳ３を設け、該入賞検出センサＳ３の検出経路３２ａに、始動口装置１４の入賞球を導くように構成されている。【選択図】        図６
2005185520.tif 000002
【特許請求の範囲】
【請求項１】
遊技盤に複数の入賞装置を備えると共に、各入賞装置に対する遊技球の入賞を入賞検出センサで検出する弾球遊技機であって、
前記遊技盤に、複数の独立した入賞装置を上下に並べて配置するにあたり、下側入賞装置に、上側入賞装置用の入賞検出センサを設け、該入賞検出センサの検出経路に、前記上側入賞装置の入賞球を導くことを特徴とする弾球遊技機。
【請求項２】
前記下側入賞装置は、下側入賞装置用入賞検出センサと、該入賞検出センサの検出信号を出力する下側入賞装置用信号出力端子と、前記上側入賞装置用入賞検出センサと、該入賞検出センサの検出信号を出力する上側入賞装置用信号出力端子とを備えると共に、前記下側入賞装置用信号出力端子及び前記上側入賞装置用信号出力端子を一つのコネクタに設けて構成されることを特徴とする請求項１記載の弾球遊技機。
【請求項３】
前記上側入賞装置は、遊技球の入賞に応じて抽選を開始させる始動口装置であり、前記下側入賞装置は、前記抽選の結果に応じて開閉動作される大入賞口装置であることを特徴とする請求項１又は２記載の弾球遊技機。
【請求項４】
前記大入賞口装置は、該大入賞口装置の大入賞口に入賞した遊技球を検出する大入賞口用入賞検出センサと、該入賞検出センサの検出信号を出力する大入賞口用信号出力端子と、前記大入賞口装置の特定領域に入賞した遊技球を検出する特定領域用入賞検出センサと、該入賞検出センサの検出信号を出力する特定領域用信号出力端子と、前記始動口装置に入賞した遊技球を検出する始動口用入賞検出センサと、該入賞検出センサの検出信号を出力する始動口用信号出力端子とを備えると共に、前記大入賞口用信号出力端子、前記特定領域用信号出力端子及び前記始動口用信号出力端子を一つのコネクタに設けて構成されることを特徴とする請求項３記載の弾球遊技機。
【発明の詳細な説明】
【技術分野】
【０００１】
本発明は、遊技盤に複数の入賞装置を備えるパチンコ遊技機などの弾球遊技機に関する。
【背景技術】
【０００２】
一般に、この種の弾球遊技機は、遊技盤に複数の入賞装置を備えると共に、各入賞装置に対する遊技球の入賞を入賞検出センサで検出し、所定個数の賞球を払い出すように構成されている。入賞装置としては、遊技球の入賞に応じて抽選を開始させる始動口装置、その抽選結果に応じて開閉動作される大入賞口装置、その他の普通入賞装置などが知られている（例えば、特許文献１〜３参照。）。
【０００３】
遊技盤には、通常、上記の入賞装置に加え、センター役物、風車、遊技釘などが配置されている。この中でも、特にセンター役物は、演出上重要なものであり、遊技者が最も注目する部分である。例えば、所謂セブン機（第一種）では、センター役物内に特別図柄抽選表示を行う図柄表示部が設けられており、この特別図柄抽選に当選すると、遊技者に有利な状態が出現するため、遊技者は、必然的に図柄表示部に注目することになる。
【特許文献１】特開２０００−３７５１７号公報
【特許文献２】特開２００１−４６６２２号公報
【特許文献３】特開２００２−１３６６８７号公報
【発明の開示】
【発明が解決しようとする課題】
【０００４】
近年、弾球遊技機の遊技性を高めるために、センター役物の大型化が提唱されている。しかしながら、セブン機などの弾球遊技機では、センター役物の下側に、複数の入賞装置（始動口装置及び大入賞口装置）を上下に並べて配置しているため、センター役物の配置スペースを拡張することが難しく、センター役物の大型化に限界があった。
【０００５】
そこで、始動口装置や大入賞口装置を小型化することが考えられるが、これらの入賞装置には、それぞれ入賞検出センサが設けられているため、小型化に限界があった。
また、特許文献３に示されるもののように、始動口装置と大入賞口装置を一体的に構成することも考えるが、この場合には、入賞装置の汎用性が低下するだけでなく、入賞装置を配置する際の自由度が損なわれるという問題がある。
【課題を解決するための手段】
【０００６】
本発明は、上記の如き実情に鑑みこれらの課題を解決することを目的として創作されたものであり、遊技盤に複数の入賞装置を備えると共に、各入賞装置に対する遊技球の入賞を入賞検出センサで検出する弾球遊技機であって、前記遊技盤に、複数の独立した入賞装置を上下に並べて配置するにあたり、下側入賞装置に、上側入賞装置用の入賞検出センサを設け、該入賞検出センサの検出経路に、前記上側入賞装置の入賞球を導くことを特徴とする。
このようにすると、上側入賞装置に入賞検出センサが不要となるため、上側入賞装置を小型化できるだけでなく、上側入賞装置と下側入賞装置の配置間隔を小さくし、センター役物や遊技釘の配置スペースを拡張することが可能になる。
また、前記下側入賞装置は、下側入賞装置用入賞検出センサと、該入賞検出センサの検出信号を出力する下側入賞装置用信号出力端子と、前記上側入賞装置用入賞検出センサと、該入賞検出センサの検出信号を出力する上側入賞装置用信号出力端子とを備えると共に、前記下側入賞装置用信号出力端子及び前記上側入賞装置用信号出力端子を一つのコネクタに設けて構成されることを特徴とする。
このようにすると、コネクタの兼用化により、コストダウンが図れるだけでなく、配線作業を簡略化することができる。
また、前記上側入賞装置は、遊技球の入賞に応じて抽選を開始させる始動口装置であり、前記下側入賞装置は、前記抽選の結果に応じて開閉動作される大入賞口装置であることを特徴とする。
このようにすると、始動口装置を小型化することができるだけでなく、始動口装置を大入賞口装置に接近させて配置することが可能になる。これにより、始動口装置の上方に配置されるセンター役物の大型化を許容し、弾球遊技機の遊技性を高めることができる。
また、前記大入賞口装置は、該大入賞口装置の大入賞口に入賞した遊技球を検出する大入賞口用入賞検出センサと、該入賞検出センサの検出信号を出力する大入賞口用信号出力端子と、前記大入賞口装置の特定領域に入賞した遊技球を検出する特定領域用入賞検出センサと、該入賞検出センサの検出信号を出力する特定領域用信号出力端子と、前記始動口装置に入賞した遊技球を検出する始動口用入賞検出センサと、該入賞検出センサの検出信号を出力する始動口用信号出力端子とを備えると共に、前記大入賞口用信号出力端子、前記特定領域用信号出力端子及び前記始動口用信号出力端子を一つのコネクタに設けて構成されることを特徴とする。
このようにすると、コネクタの兼用化により、コストダウンが図れるだけでなく、配線作業を簡略化することができる。
【発明の効果】
【０００７】
本発明によれば、複数の独立した入賞装置を上下に並べて配置するにあたり、上側入賞装置に入賞検出センサが不要となるため、上側入賞装置の小型化が可能になると共に、上側入賞装置を下側入賞装置に接近させることができる。その結果、センター役物や遊技釘の配置スペースを拡張し、弾球遊技機の遊技性を高めることが可能になる。
【発明を実施するための最良の形態】
【０００８】
次に、本発明の実施形態を図面に沿って説明する。
［パチンコ遊技機の基本構成］
まず、本発明の実施形態に係るパチンコ遊技機（弾球遊技機）の基本構成について説明する。図１及び図２において、１はパチンコ遊技機であって、該パチンコ遊技機１は、パチンコ島に固定される外枠２に対して、開閉自在に取り付けられる。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技玉が貸し出され、パチンコ遊技が可能になる。
【０００９】
パチンコ遊技機１の正面は、遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ（発射装置）１３と、各種の制御基板とを備えている。
【００１０】
図３に示すように、遊技盤４には、複数の入賞装置（始動口装置１４、大入賞口装置１５及び普通入賞口装置１６）、ゲート１７、アウト口１８、遊技釘１９、特別図柄表示部２０などが配置されており、遊技盤４に発射された遊技球は、遊技釘１９によって各口１４〜１８に誘導される。特別図柄表示部２０は、その周りがセンター飾り２１で囲まれ、センター役物２２を構成している。そして、センター役物２２は、遊技盤４の中央部に配置され、始動口装置１４及び大入賞口装置１５は、センター役物２２の下側に上下に並べて配置される。
【００１１】
［パチンコ遊技機の基本動作］
上皿６に遊技球が溜った状態で発射ハンドル８を回し操作すると、遊技盤４に向けて遊技球が発射される。発射された遊技球が始動口装置１４や普通入賞口装置１６に入賞した場合は、所定個数の遊技球が賞品球として払い出される。
【００１２】
また、遊技球がゲート１７を通過したときは、普通図柄表示部（本実施形態では特別図柄表示部２０が兼用される。）において普通図柄の変動表示が行われ、その停止図柄が所定の当たり図柄である場合は、始動口装置１４（普通電動役物）が所定時間にわたって開放動作される。
【００１３】
また、遊技球が始動口装置１４に入賞したときは、特別図柄表示部２０において特別図柄の変動表示が行われ、これらの特別図柄が、予め決められた大当りの組み合せで停止すると、後述する大当りモード（特定遊技状態）となる。以下、大当りの開始、終了などを契機として切換えられるパチンコ遊技機１の各種遊技モードについて、図４を参照して説明する。
【００１４】
［パチンコ遊技機の遊技モード］
（１）通常遊技モード
このモードでは、２段階の大当り確率のうち、低確率（例えば、１／３５９）が適用される。また、このモードでは、普通図柄の抽選サイクルが長くなっている。
（２）大当りモード
特別図柄が予め決められた大当りの配列で停止したとき、このモードが実行される。大当りモードでは、大入賞口装置１５（特別電動役物）が開放動作され、遊技者に有利な状態となる。この開放動作は、所定時間の経過（例えば、３０秒）または所定個数の入賞（例えば、１０球）を条件として終了するが、開放動作中に入賞した遊技球が大入賞口装置１５内の特定領域を通過した場合は、上記開放動作が所定のラウンド数（例えば、１５ラウンド）を限度として繰り返される。
【００１５】
（３）確率変動モード
このモードは、大当りモードが終了した後、所定の確率（例えば、１／２）で実行されるものであり、例えば、大当り時の特別図柄が確率変動図柄であったとき、その権利が与えられる。確率変動モードでは、大当り確率が高確率（例えば、１／６５）であり、また、普通図柄の抽選サイクルが短く、しかも、始動口装置１４の開放時間が長いため、持ち玉をほとんど減らすことなく、再び大当りを発生させることができる。
【００１６】
（４）時間短縮モード
このモードは、大当りモードが終了した後に実行される。時間短縮モードでは、通常遊技モードと同じ大当り確率（低確率）が適用されるが、普通図柄の抽選サイクルが短く、しかも、始動口装置１４の開放時間が長いため、持ち玉をほとんど減らすことなく、遊技を継続することができる。ただし、このモードは、大当り終了後、特別図柄の変動回数が所定回数（例えば、１００回）となった時点で終了し、通常遊技モードに切り換えられる。
【００１７】
［始動口装置（上側入賞装置）］
図５及び図６に示すように、始動口装置１４は、遊技盤４に固定するための取付板２３を備える。始動口装置１４に入賞した遊技球は、取付板２３に形成される孔を介して、遊技盤４の表側から裏側へ導かれる。取付板２３の表側には、前面板２４及び左右一対の羽根部材２５が設けられている。前面板２４の裏面には、左右一対の支軸（図示せず）が突設され、これらの支軸を回動支点として各羽根部材２５が開閉自在に支持される。また、各羽根部材２５には、後方に向けてピン２５ａが突設されており、このピン２５ａの上下動に応じて羽根部材２５が開閉動作される。
【００１８】
取付板２３の裏側には、ソレノイド２６、揺動アーム２７、誘導部材２８などが設けられている。ソレノイド２６は、前後方向に出没自在なプランジャ２６ａと、このプランジャ２６ａを出没動作させるコイル部２６ｂとを備えて構成されている。プランジャ２６ａの先端部には、揺動アーム２７を介して各羽根部材２５のピン２５ａが連繋されており、プランジャ２６ａの没入動作に応じて各羽根部材２５が開閉動作される。
【００１９】
誘導部材２８は、取付板２３の孔を介して遊技盤４の裏側へ導かれた入賞球を後方へ誘導した後、落下口２８ａから下方へ落下させる誘導路を形成している。従来では、誘導部材２８の下端に入賞検出センサを設けて入賞球の検出を行っていたが、本発明では、始動口装置１４に入賞検出センサを設けることなく、始動口装置１４の入賞球を検出可能にする。これにより、始動口装置１４の高さ寸法を小さくできると共に、始動口装置１４を大入賞口装置１５に接近させて配置することが可能になる。尚、入賞検出センサは、磁気式近接センサや光学式通過センサであり、公知のものである。これらのセンサは、遊技球よりも大径な検出孔を有し、この検出孔に遊技球を通すと、入賞検出信号を出力するように構成されている。
【００２０】
［大入賞口装置（下側入賞装置）］
図５及び図６に示すように、大入賞口装置１５は、遊技盤４に固定するための取付板２９を備える。取付板２９には、蓋部材３０によって開閉される入賞口２９ａが形成されており、蓋部材３０が開放した状態では、蓋部材３０にガイドされた遊技球が入賞口２９ａを介して大入賞口装置１５の内部に導かれる。尚、蓋部材３０は、始動口装置１４と同様にソレノイドで開閉動作されるが、本実施形態では、公知の開閉機構を用いるため、図示及び説明を省略する。
【００２１】
大入賞口装置１５の内部には、大入賞口１５ａと特定領域１５ｂが左右振分け状に形成され、さらに、大入賞口１５ａと特定領域１５ｂとの間には、入賞球を左右に振分けガイドする振分けガイド部材３１が設けられている。大入賞口１５ａ側に導かれた遊技球は、大入賞口１５ａに設けられる入賞検出センサＳ１の検出孔を通過した後、集合樋（図示せず）に排出される。また、特定領域１５ｂ側に導かれた遊技球は、特定領域１５ｂに設けられる入賞検出センサＳ２の検出孔を通過した後、集合樋に排出される。
【００２２】
大入賞口装置１５の背面部には、落下ガイド部材３２が設けられている。この落下ガイド部材３２は、上下方向に貫通する検出経路３２ａを形成しており、その上端は、前記始動口装置１４の落下口２８ａに対向している。つまり、始動口装置１４の落下口２８ａから落下した遊技球は、大入賞口装置１５に形成される検出経路３２ａを通り、集合樋に排出されるようになっている。
【００２３】
検出経路３２ａの上端部には、大入賞口装置１５の高さ範囲を超えないように、始動口用の入賞検出センサＳ３が設けられている。つまり、遊技盤４に、始動口装置１４及び大入賞口装置１５を上下に並べて配置するにあたり、大入賞口装置１５に、始動口用の入賞検出センサＳ３を設け、該入賞検出センサＳ３の検出経路３２ａに、始動口装置１４の入賞球を導くように構成されている。これにより、始動口装置１４に入賞検出センサＳ３を設けることなく、始動口装置１４の入賞球が検出可能となる。
【００２４】
また、落下ガイド部材３２の背面には、複数のコネクタ３３〜３５を備えるコネクタ基板３６が設けられている。コネクタ基板３６の背面上部に設けられる第一のコネクタ３３は、入賞検出信号を出力するためのものであり、大入賞口用入賞検出センサＳ１の検出信号を出力する大入賞口用信号出力端子（図示せず）と、特定領域用入賞検出センサＳ２の検出信号を出力する特定領域用信号出力端子（図示せず）と、始動口用入賞検出センサＳ３の検出信号を出力する始動口用信号出力端子（図示せず）とが設けられ、三種の信号出力に兼用される。これにより、入賞検出信号出力用コネクタ３３の個数を削減してコストダウンが図れるだけでなく、配線作業を簡略化することが可能になる。ちなみに、コネクタ基板３６の背面中間部に設けられる第二のコネクタ３４は、ソレノイドなどの駆動信号を入力するためのものであり、また、コネクタ基板３６の背面下部に設けられる第三のコネクタ３５は、ＬＥＤなどの駆動信号を入力するためのものである。
【００２５】
叙述の如く構成された本実施形態のパチンコ遊技機１は、遊技盤４に、始動口装置１４及び大入賞口装置１５を上下に並べて配置するにあたり、大入賞口装置１５に、始動口用の入賞検出センサＳ３を設け、該入賞検出センサＳ３の検出経路３２ａに、始動口装置１４の入賞球を導くように構成されているので、始動口装置１４に入賞検出センサを設ける必要がない。これにより、始動口装置１４を小型化できるだけでなく、始動口装置１４と大入賞口装置１５の配置間隔を小さくし、センター役物２２や遊技釘１９の配置スペースを拡張することが可能になる。その結果、始動口装置１４の上方に配置されるセンター役物２２の大型化を許容し、パチンコ遊技機１の遊技性を高めることができる。
【００２６】
また、大入賞口装置１５は、該大入賞口装置１５の大入賞口１５ａに入賞した遊技球を検出する大入賞口用入賞検出センサＳ１と、該入賞検出センサＳ１の検出信号を出力する大入賞口用信号出力端子と、大入賞口装置１５の特定領域１５ｂに入賞した遊技球を検出する特定領域用入賞検出センサＳ２と、該入賞検出センサＳ２の検出信号を出力する特定領域用信号出力端子と、始動口装置１４に入賞した遊技球を検出する始動口用入賞検出センサＳ３と、該入賞検出センサＳ３の検出信号を出力する始動口用信号出力端子とを備えると共に、大入賞口用信号出力端子、特定領域用信号出力端子及び始動口用信号出力端子を一つのコネクタ３３に設けて構成されるため、コネクタ３３の兼用化により、コストダウンが図れるだけでなく、配線作業を簡略化することができる。
【００２７】
尚、本発明は、前記実施形態に限定されないことは勿論である。例えば、前記実施形態では、上側入賞装置を始動口装置、下側入賞装置を大入賞口装置としたが、上側入賞装置や下側入賞装置を他の入賞装置で構成した場合であっても、本発明に含まれることは言うまでもない。
【図面の簡単な説明】
【００２８】
【図１】パチンコ遊技機の正面図である。
【図２】パチンコ遊技機の背面図である。
【図３】遊技盤の正面図である。
【図４】パチンコ遊技機の遊技モードを示すフローチャートである。
【図５】始動口装置及び大入賞口装置の正面図である。
【図６】始動口装置及び大入賞口装置のＡ−Ａ断面図である。
【符号の説明】
【００２９】
１      パチンコ遊技機
４      遊技盤
１４    始動口装置
１５    大入賞口装置
２０    特別図柄表示部
２２    センター役物
２８    誘導部材
２８ａ  落下口
３２    落下ガイド部材
３２ａ  検出経路
３３    コネクタ
Ｓ１    大入賞口用入賞検出センサ
Ｓ２    特定領域用入賞検出センサ
Ｓ３    始動口用入賞検出センサ
【図１】
2005185520.tif 000003
【図２】
2005185520.tif 000004
【図３】
2005185520.tif 000005
【図４】
2005185520.tif 000006
【図５】
2005185520.tif 000007
【図６】
2005185520.tif 000008